(57)【要約】【課題】密閉容器の溶接接合部のピンホールによる洩れ品質の低減、及び密閉容器内に飛散する溶接スパッタを低減させる。【解決手段】一方の円筒の一方の端部に形成した拡径部の内面、又はこの拡径部に挿入される他方の円筒の外面の一方に、嵌め合い方向の軸線に沿って直線状に延びる凸条を周方向複数箇所に設け、拡径部に他方の円筒を挿入して、凸条と他方の円筒の外面、又は凸条と拡径部の内面とを当接させて、拡径部の端部と他方の円筒の外面とをアーク溶接によって接合する。【選択図】図２
2012036801.tif 000002
【特許請求の範囲】
【請求項１】
一方の円筒の一方の端部に形成した拡径部に他方の円筒を挿入し、前記拡径部の端部と前記他方の円筒の外面とを溶接接合する円筒容器の製造方法であって、
前記拡径部の内面又は前記他方の円筒の挿入される外面の一方に、嵌め合い方向の軸線に沿って直線状に延びる凸条を周方向複数箇所に設ける工程と、
前記拡径部に前記他方の円筒を挿入して、前記凸条と前記他方の円筒の外面、又は前記凸条と前記拡径部の内面とを当接させて、前記拡径部の端部と前記他方の円筒の外面とをアーク溶接によって接合する工程と、
を有することを特徴とする円筒容器の製造方法。
【請求項２】
一方の円筒の一方の端部に形成した拡径部に他方の円筒を挿入し、前記拡径部の端部と前記他方の円筒の外面とを溶接接合する円筒容器の製造方法であって、
前記拡径部の内面又は前記他方の円筒の挿入される外面の一方に、嵌め合い方向の軸線周りにスパイラル状に延びる凸条を周方向複数箇所に設ける工程と、
前記拡径部に前記他方の円筒を挿入して、前記凸条と前記他方の円筒の外面、又は前記凸条と前記拡径部の内面とを当接させて、前記拡径部の端部と前記他方の円筒の外面とをアーク溶接によって接合する工程と、
を有することを特徴とする円筒容器の製造方法。
【請求項３】
前記凸条の高さが、０．１mm以下であることを特徴とする請求項１又は請求項２記載の円筒容器の製造方法。
【請求項４】
前記円筒容器が、アッパーカップとロアーカップで構成される密閉容器、又は上シェルと中間管状シェルと下シェルで構成される密閉容器であることを特徴とする請求項１乃至請求項３のいずれかに記載の円筒容器の製造方法。
【請求項５】
冷媒を圧縮するための冷媒圧縮手段を収容する圧縮機本体の密閉容器と該圧縮機本体に冷媒を供給するための液だめの密閉容器とを備える密閉型圧縮機であって、
前記圧縮機本体の密閉容器または前記液だめの密閉容器が、請求項１乃至請求項４のいずれかに記載の円筒容器の製造方法によって製造されることを特徴とする密閉型圧縮機。
【発明の詳細な説明】
【技術分野】
【０００１】
本発明は、円筒容器の製造方法、およびこの製造方法によって製造された密閉容器を有する密閉型圧縮機に関する。
【背景技術】
【０００２】
従来より、密閉容器の溶接部の溶接品質を高めるために、接合部の奥にガス逃し溝を設け、現在溶接を行っている溶接部位の前方から大気中にガスを放出するようにしたものが知られている（例えば、特許文献１参照）。
【先行技術文献】
【特許文献】
【０００３】
【特許文献１】実開平６−４４０３号公報（図１）
【発明の概要】
【発明が解決しようとする課題】
【０００４】
しかしながら、接合部の奥にガス逃し溝を設け、現在溶接を行っている溶接部位の前方から大気中に放出するようにしたものにあっては、ガス逃し溝が空気だまりとなり、溶接部位の終端を溶接接合する際に、当該空気だまりにある空気が加熱により膨張され、溶接により溶融された金属間を貫通し、ピンホールが発生し、洩れの原因となるという難点があった。
【０００５】
本発明は、上記の問題を解決するためになされたもので、第１の目的は溶接接合においてピンホールによる洩れ品質を低減して、信頼性を向上させる円筒容器の製造方法を得るものである。
また、第２の目的は溶接接合において密閉容器内に飛散する溶接スパッタを低減することができる円筒容器の製造方法を得るものである。
さらに、第３の目的は、前記円筒容器の製造方法によって製造された圧縮機本体の密閉容器または液だめの密閉容器を有する密閉型圧縮機を得るものである。
【課題を解決するための手段】
【０００６】
本発明に係る円筒容器の製造方法は、一方の円筒の一方の端部に形成した拡径部に他方の円筒を挿入し、前記拡径部の端部と前記他方の円筒の外面とを溶接接合する円筒容器の製造方法であって、前記拡径部の内面又は前記他方の円筒の挿入される外面の一方に、嵌め合い方向の軸線に沿って直線状に延びる凸条を周方向複数箇所に設ける工程と、前記拡径部に前記他方の円筒を挿入して、前記凸条と前記他方の円筒の外面、又は前記凸条と前記拡径部の内面とを当接させて、前記拡径部の端部と前記他方の円筒の外面とをアーク溶接によって接合する工程と、を有することを特徴としている。
【発明の効果】
【０００７】
本発明の円筒容器の製造方法においては、拡径部の内面又は他方の円筒の挿入される外面の一方に、嵌め合い方向の軸線に沿って直線状に延びる凸条を周方向複数箇所に設けてから、拡径部に他方の円筒を挿入して、凸条と他方の円筒の外面、又は凸条と拡径部の内面とを当接させて、拡径部の端部と他方の円筒の外面とをアーク溶接によって接合するので、拡径部に他方の円筒を挿入した段階で各凸条間に容器内外に連なる通路が形成される。そしてこの状態で、拡径部の端部と他方の円筒の外面とをアーク溶接によって接合するので、溶接時に加熱されたガスが前記通路を通り、溶接部とは反対の容器内方向に逃げることができて、溶融金属間を貫通しなくなり、ピンホールによる溶接部洩れ不良が低減される。
【図面の簡単な説明】
【０００８】
【図１】本発明の実施の形態１に係る密閉型圧縮機の構成を示す側面視の断面図である。
【図２】本発明の実施の形態１に係る密閉型圧縮機の密閉容器（液だめ容器）の構成部材であるアッパーカップを接合部側から見た斜視図である。
【図３】本発明の実施の形態１に係る円筒容器の製造方法における凸条成形工程で用いるプレスパンチ型を示す斜視図である。
【図４】本発明の実施の形態１に係る円筒容器の製造方法における凸条成形工程を示す図である。
【図５】密閉型圧縮機の密閉容器（液だめ容器）の接合部に凸条を設けていない場合の溶接時の加熱ガス流れを示す断面図である。
【図６】本発明の実施の形態１に係る密閉型圧縮機の密閉容器（液だめ容器）の接合部における溶接時の加熱ガス流れを示す断面図である。
【図７】本発明の実施の形態２に係る密閉型圧縮機の密閉容器（液だめ容器）の構成部材であるアッパーカップを接合部側から見た斜視図である。
【図８】本発明の実施の形態３に係る円筒容器の製造方法における凸条成形工程を示す図である。
【図９】本発明の実施の形態３に係る円筒容器の製造方法における凸条成形工程を示す図である。
【発明を実施するための形態】
【０００９】
実施の形態１．
図１は本発明の実施の形態１に係る密閉型圧縮機の構成を示す側面視の断面図である。図２は本実施の形態１に係る密閉型圧縮機の密閉容器（液だめ容器）の構成部材であるアッパーカップを接合部側から見た斜視図である。図３は本実施の形態１に係る円筒容器の製造方法における凸条成形工程で用いるプレスパンチ型を示す斜視図である。図４は本実施の形態１に係る円筒容器の製造方法における凸条成形工程を示す図である。図５は密閉型圧縮機の密閉容器（液だめ容器）の接合部に凸条を設けていない場合の溶接時の加熱ガス流れを示す断面図である。図６は本実施の形態に係る密閉型圧縮機の密閉容器（液だめ容器）の接合部における溶接時の加熱ガス流れを示す断面図である。
【００１０】
本実施の形態の密閉型圧縮機は、図１のように冷媒を圧縮する圧縮機本体１と、圧縮機本体１の入り口側に設けられて圧縮機本体１に冷媒を供給する密閉容器すなわち液だめ容器２とを備えている。
【００１１】
これを更に詳述すると、圧縮機本体１は、上面に吐出パイプ１４が設置された密閉容器１３と、密閉容器１３の内部に収納された圧縮機構１１および圧縮機構１１を駆動する電動機１２と、を有している。密閉容器１３は、上シェル１３ａと下シェル１３ｂとそれらの間に配置接合された中間管状シェル１３ｃとで構成されている。また、液だめ容器２を固定するための固定板１５が、密閉容器１３の側面に設けられ、圧縮機本体１と液だめ容器２とを連通する排出パイプ２４が、密閉容器１３の側面に接続されている。
【００１２】
液だめ容器２は、後述する製造方法によって製造されるものである。すなわち、液だめ容器２は、アッパーカップ２２とロアーカップ２３が付き合わさった密閉容器であって、上面に吸入パイプ２１が、下面に排出パイプ２４が、内部に金属製ストレーナフィルター（図示せず）が、それぞれ設置されている。また、アッパーカップ２２のロアーカップ２３との接合部となるフランジ２２ａの内面の周方向複数箇所に、図２のように嵌め合い方向の軸線に沿って直線状に延びる凸条２２ｂが設けられている。凸条２２ｂが挿入方向に線状でないと、嵌合部が圧入形態のため内部に連通する隙間を確保できなくなる可能性がある。凸条２２ｂの数量としては、隙間が円周方向に安定して形成されるよう８箇所設けているが、溶接時に加熱膨張した空気の抜ける通路を安定的に確保するために、凸条幅は２mm以下、個数は各凸条２２ｂが隙間内で占める断面積が隙間断面積の１／１０以下となる個数とするのが望ましい。さらに、溶接スパッタが液だめ容器２内に飛散しないように凸条２２ｂの高さは０．１mm以下にするのが望ましい。下記表１に凸条高さを０．０５mm、０．１０mm、０．１５mmとした場合の液だめ容器２内への溶接スパッタ飛散量の測定結果を示す。
【００１３】
【表１】
2012036801.tif 000003
【００１４】
表１から明らかなように、凸条高さを０．０５mmから０．１０mmに大きく（２倍）した場合、液だめ容器２内への溶接スパッタ飛散量は０．０８mgから０．２mgに増加（２．５倍）しているだけであるが、凸条高さを０．０５mmから０．１５mmに大きく（３倍）すると、液だめ容器２内への溶接スパッタ飛散量は０．０８mgから１．２mgに急激に増加（１５倍）していることが分かる。したがって、凸条２２ｂの高さは０．１mm以下とし、凸条外形を基準として軽圧入とするよう嵌め合い代を設定するのが望ましい。
【００１５】
本実施の形態の密閉型圧縮機において、冷媒ガスは、吸入パイプ２１より液だめ容器２に流入し、金属製ストレーナフィルターによって異物が除去された後、排出パイプ２４を経由して圧縮機本体１内に導入される。そして、電動機１２によって駆動される圧縮機構１１において圧縮された冷媒ガスは、吐出パイプ１４から圧縮機本体１の外部に放出される。
【００１６】
次に、本実施の形態に係る円筒容器の製造方法について図２乃至図６に基づき図１を参照しながら説明する。なお、本実施の形態の円筒容器の製造方法は、密閉型圧縮機において圧縮機本体１の密閉容器１３と液だめ容器２の双方に適用可能であるが、ここでは液だめ容器２への適用例について説明する。
【００１７】
図２に示すアッパーカップ２２の凸条２２ｂは、嵌合部の成形工程(フランジアップ)のプレスパンチ型３１（図３）に切り欠き３１ａを設けることで、プレス成形により転写させて成型することができる。つまり、図４のようにプレスダイ型３２を使い、絞り工程にて切り欠き３１ａにアッパーカップ素材が押し付けられることで、転写され、凸条２２ｂを成型する。凸条２２ｂが小さければ、フランジ２２ａのスプリングバックにより、型からアッパーカップ２２を抜く際に干渉して抜きにくくなるようなことはない。また、例え凸条２２ｂが大きくても、図３のようにプレスパンチ型３１のフランジ全体に切り欠き３１ａがあると、嵌合部の接触面積をより減らせるので、干渉しにくくなる。
【００１８】
次いで、接合部を互いに嵌め合わせ、つまりアッパーカップ２２のフランジ２２ａ内にロアーカップ２３の端部を挿入してから、フランジ２２ａの開口端すなわち嵌合外端縁部をアーク溶接によって接合する。
【００１９】
従来の凸条無しの接合形態においては、図５のようにアッパーカップ２２内に圧入したロアーカップ２３の端部エッジ（嵌合内端縁部）がアッパーカップ２２のフランジ２２ａに食い込んでしまう。そのため、フランジの開口端側（嵌合外端側）が若干開き、空気だまりが生じてしまう。嵌合部の奥側はロアーカップ２３の嵌合内端縁部により密閉されているため、溶接時に加熱された空気だまり内の加熱膨張空気は溶融ビード４１側に逃げ、溶融ビード４１内にピンホールを発生させる。
【００２０】
しかし、本実施の形態に係る円筒容器の製造方法により製造された密閉容器すなわち、液だめ容器２は、密閉容器２のアッパーカップ２２のロアーカップ２３との接合部であるフランジ２２ａの内面の周方向複数箇所に、嵌め合い方向の軸線に沿って直線状に延びる凸条２２ｂを設けているので、接合部を嵌め合わせた段階で、各凸条２２ｂ間に容器内外に連なる通路が形成される。そしてこの状態で、嵌合外端縁部をアーク溶接によって接合するので、溶接時に加熱されたガスが図６のように各凸条２２ｂ間の通路を通り、溶接部とは反対の容器内方向に逃げることができて、溶融ビード４１を貫通しなくなり、ピンホールの発生を防止でき、溶接部洩れ不良を低減することができ、信頼性が向上する。
【００２１】
また、凸条２２ｂの高さを０．１mm以下に設定して、通路となる径方向の隙間厚みを極力小さくしているので、溶接スパッタの液だめ容器２内への侵入を抑制する（異物混入規格水準以下に抑える）ことができる。
【００２２】
実施の形態２．
図７は本発明の実施の形態２に係る密閉型圧縮機の密閉容器（液だめ容器）の構成部材であるアッパーカップを接合部側から見た斜視図であり、前述の実施の形態１のものと同一機能部分には同一符号を付してある。なお、説明にあたっては前述の図１を参照するものとする。
【００２３】
本実施の形態に係る密閉容器すなわち液だめ容器２は、図７のようにアッパーカップ２２Ａのロアーカップ２３との接合部であるフランジ２２ａの内面の周方向複数箇所に、嵌め合い方向の軸線周りにスパイラル状に延びる凸条（以下、「スパイラル凸条」という）２２ｃを設けたものである。
【００２４】
本実施の形態においても、前述の実施の形態１のものと同様に、スパイラル凸条２２ｃの幅は２mm以下、高さは０．１mm以下、個数（条数）は各スパイラル凸条２２ｃが隙間内で占める断面積が隙間断面積の１／１０以下となる個数（条数）とすることで、溶接スパッタの液だめ容器２内への侵入を抑制することができ、かつピンホールによる溶接部洩れ不良の低減化が図れる。
【００２５】
また、本実施の形態においても、前述の実施の形態１のものと同様に、各凸条２２ｃ間に容器内外に連なる通路が形成され、溶接時に加熱されたガスが各凸条２２ｃ間の通路を通り、溶接部とは反対の容器内方向に逃げてくれる機能を有している。それに加えて本実施の形態では各凸条２２ｃがスパイラル状に形成されているので、溶接スパッタが密閉容器内により侵入しにくくなり、その分、凸条高さを大きくして、通路断面積を大きくすることが可能となる。
【００２６】
なお、図７のように隣接するスパイラル凸条２２ｃを、一部が嵌め合い方向から見て互いに重畳するように構成することで、容器内空間に連なる隙間の通路をラビリンス通路とすることができ、更に溶接スパッタの液だめ容器２内への侵入防止効果を高めることができる。
【００２７】
なお、前述の各実施の形態では、いずれも液だめ容器のアッパーカップ側に凸条を設けたものを例に挙げて説明したが、これをアッパーカップに挿入されるロアーカップの接合部外面に設けてもよい。
【００２８】
実施の形態３．
図８及び図９はいずれも凸条をロアーカップ側に設ける本発明の実施の形態３に係る円筒容器の製造方法における凸条成形工程を示す図であり、前述の実施の形態１のものと同一機能部分には同一符号を付してある。なお、ここでも説明にあたっては前述の図１を参照するものとする。
【００２９】
本実施の形態に係る密閉容器すなわち液だめ容器２は、図８及び図９のようにロアーカップ２３のアッパーカップ２２との接合部、つまりアッパーカップ２２のフランジ２２ａと対向する外面の周方向複数箇所に、凸条（ここではスパイラル凸条）を設けるものである。スパイラル凸条は、成形してからロアーカップ２３を抜く際に干渉して抜きにくくなるため、スパイラル溝模様５１を設けたクランプ固定型５が図８のように半割れ構成となっていて左右に分離できるようになっている。
【００３０】
次に、本実施の形態に係る円筒容器の製造方法について図８及び図９に基づき図１を参照しながら説明する。なお、本実施の形態の円筒容器の製造方法も、当該密閉型圧縮機において圧縮機本体１の密閉容器１３と液だめ容器２の双方に適用可能であるが、ここでも液だめ容器２への適用例について説明する。
【００３１】
まず、図８のようにプレスで成形されたロアーカップ２３に対し、スパイラル凸条を成形したい箇所の外周部をスパイラル溝模様５１の設けられたクランプ固定型５で固定する。次いで、図９のように拡管機構を備えた装置または圧入工具５２をロアーカップ２３の開口より圧入し、ロアーカップ２３の外周部をクランプ固定型５に押し当てる。これにより、クランプ固定型５のスパイラル溝模様５１をロアーカップ２３の外周部に転写し、ロアーカップ２３の外周部にスパイラル凸条を成形する。その後、クランプ固定型５をロアーカップ２３より引き離し、ロアーカップ２３を取り出す。
【００３２】
次いで、接合部を互いに嵌め合わせ、つまり外周部にスパイラル凸条が成形されたロアーカップ２３をアッパーカップ２２のフランジ２２ａ内に挿入してから、フランジ２２ａの開口端すなわち嵌合外端縁部をアーク溶接によって接合する。
【００３３】
以上の方法なら、成形工程が増えてしまうが、希望する形状を半割れ構成のクランプ固定型５に転写しておけば、どんな形状の凸条でも成形できるメリットがある。
【符号の説明】
【００３４】
１  圧縮機本体、２  液だめ容器（密閉容器）、５  クランプ固定型、１１  圧縮機構、１２  電動機、１３  密閉容器、１３ａ  上シェル、１３ｂ  下シェル、１３ｃ  中間管状シェル、１４  吐出パイプ、２１  吸入パイプ、２２，２２Ａ  アッパーカップ、２３  ロアーカップ、２２ａ  フランジ（接合部）２２ｂ  直線状に延びる凸条、２２ｃ  スパイラル状に延びる凸条、２４  排出パイプ、３１  プレスパンチ型、３１ａ  切り欠き、３２  プレスダイ型、４１  溶融ビード、５１  スパイラル溝模様、５２  圧入工具。
【図１】
2012036801.tif 000004
【図２】
2012036801.tif 000005
【図３】
2012036801.tif 000006
【図４】
2012036801.tif 000007
【図５】
2012036801.tif 000008
【図６】
2012036801.tif 000009
【図７】
2012036801.tif 000010
【図８】
2012036801.tif 000011
【図９】
2012036801.tif 000012